(57)【要約】【課題】給水装置の吸込み口と戻し口とのピッチの大きさが井戸の口径に対応しない場合であっても、吸込み配管および戻し配管をその井戸内に無理なく挿入できるピッチに保って給水装置の吸込み口および戻し口に接続することができる連結管を提供する。【解決手段】井戸用給水装置の吸込み口および戻し口に対して取り付けて、井戸に挿入するための吸込み配管および戻し配管を前記吸込み口および戻し口に接続するために用いられる連結管３０であって、一対の接続孔３１，３２を有する一体的な筒状に形成され、その基部３３ａの部分では、接続孔３１，３２の並びのピッチａが給水装置の吸込み口および戻し口の並びのピッチと同じで、その反対側の差込み部の部分では、接続孔３１，３２の並びのピッチｂが給水装置の吸込み口および戻し口の並びのピッチよりも小さくなっている。【選択図】図２
2006336609.tif 000002
【特許請求の範囲】
【請求項１】
井戸用給水装置に一定のピッチで並ぶように設けられた吸込み口および戻し口に対して取り付けて、井戸に挿入するための吸込み配管および戻し配管を前記吸込み口および戻し口に接続するために用いられる連結管であって、
並行する一対の接続孔を有する一体的な筒状に形成され、その筒状体の軸方向の一端側が前記吸込み口および戻し口に接続される基部で、他端側が前記吸込み配管および戻し配管が差込められる差込み部となっており、前記基部の部分では前記一対の接続孔の並びのピッチが前記給水装置の吸込み口および戻し口の並びのピッチと同じで、前記差込み部の部分では、前記一対の接続孔の並びのピッチが前記給水装置の吸込み口および戻し口の並びのピッチよりも小さくなっていることを特徴とする井戸用給水装置に用いられる連結管。
【請求項２】
塩化ビニルを材料として一体に形成されていることを特徴とする請求項１に記載の井戸用給水装置に用いる連結管。
【発明の詳細な説明】
【技術分野】
【０００１】
この発明は、井戸から水を吸上げて給水するジェット式の井戸用給水装置に用いられる連結管に関する。
【背景技術】
【０００２】
ジェット式の井戸用給水装置の構造を図５に示してあり、この給水装置１はポンプ部を構成するケーシング２を備え、このケーシング２内にモータ３で駆動されるインペラ（図示せず）が収納されている。
【０００３】
ケーシング２の一側部には吸込み口５と戻し口６とが互いに隣り合うように並んで設けられているとともに、他側部に吐出口７が設けられ、また上部に自動圧力調整弁８が設けられている。前記吐出口７には給水配管９が接続される。
【０００４】
吸込み口５および戻し口６にはそれぞれフランジ１０，１１がボルト１２を介して取り付けられ、これらフランジ１０，１１にそれぞれソケット１３，１４が装着され、これらソケット１３，１４を介して前記吸込み口５および戻し口６に吸込み配管１６および戻し配管１７が接続されている。
【０００５】
吸込み配管１６および戻し配管１７はそれぞれ井戸１９内に挿入され、これら吸込み配管１６および戻し配管１７の先端部は井戸１９内の地下水中において、ジェット部（図示せず）を介して互いに接続されている。
【０００６】
なお、各ソケット１３，１４、吸込み配管１６および戻し配管１７はそれぞれ塩化ビニルで形成されている。また、図に示す２０は蓄圧タンクである。
【０００７】
運転時には、ケーシング２内のインペラがモータ３で駆動されて回転し、この回転でケーシング２内の水が戻し口６から戻し配管１７内に圧送される。戻し配管１７内に圧送された水は井戸１９内のジェット部において、吸込み配管１６内にノズルを通して高圧水として噴射され、その噴射により周囲の水にエネルギーを与え、このエネルギーで井戸１９内の水が吸込み配管１６内に吸込まれ、さらにこの水がケーシング２内に吸込み管１６を通して吸上げられる。
【０００８】
ケーシング２内に吸上げられた水は、自動圧力調整弁８による調整で、その一部が戻し口６から戻し配管１７を通して井戸１９内のジェット部に送られ、残りが吐出口７に送られる。このような動作が連続することにより井戸１９内の水が順次吐出口７から給水配管９を通して所定の給水部に給水される。
【発明の開示】
【発明が解決しようとする課題】
【０００９】
ところで、給水装置１に設けられる吸込み口５と戻し口６は所定のピッチＬで並び、これら吸込み口５および戻し口６から吸込み配管１６および戻し配管１７が平行に導出されて井戸１９内に挿入される。
【００１０】
通常の場合は、井戸１９の口径は、給水装置１の吸込み口５と戻し口６とのピッチＬに対応する大きさ、つまり吸込み配管１６と戻し配管１７との外側面間の間隔Ｓより大きな口径に設定され、したがって吸込み配管１６と戻し配管１７とを平行に保ったままそれを井戸１９内に挿入することができる。
【００１１】
しかしながら、図５に示すように、吸込み配管１６と戻し配管１７との外側面間の間隔Ｓよりも小さい口径の井戸１９が施工の対象となる場合があり、このような場合には吸込み配管１６と戻し配管１７とを平行に保ったまま井戸１９内に挿入することが困難となる。
【００１２】
このため、この場合には、吸込み配管１６と戻し配管１７とをその先端側が互いに接近するように押しつけてその間隔を狭め、このような状態で吸込み配管１６と戻し配管１７とを井戸１９内に挿入するようにしている。
【００１３】
ところが、このように吸込み配管１６と戻し配管１７とをその先端側が互いに接近するように押しつけて井戸１９内に挿入すると、吸込み配管１６および戻し配管１７と給水装置１の吸込み口５および戻し口６との接続部分に無理な力がかかり、漏水の原因となる。
【００１４】
この発明はこのような点に着目してなされたもので、その目的とするところは、給水装置の吸込み口と戻し口とのピッチの大きさが施工の対象となる井戸の口径に対応しない場合であっても、吸込み配管および戻し配管をその井戸内に無理なく挿入できるピッチに保って給水装置の吸込み口および戻し口に接続することができる連結管を提供することにある。
【課題を解決するための手段】
【００１５】
この発明は、井戸用給水装置に一定のピッチで並ぶように設けられた吸込み口および戻し口に対して取り付けて、井戸に挿入するための吸込み配管および戻し配管を前記吸込み口および戻し口に接続するために用いられる連結管であって、並行する一対の接続孔を有する一体的な筒状に形成され、その筒状体の軸方向の一端側が前記吸込み口および戻し口に接続される基部で、他端側が前記吸込み配管および戻し配管が差込められる差込み部となっており、前記基部の部分では前記一対の接続孔の並びのピッチが前記給水装置の吸込み口および戻し口の並びのピッチと同じで、前記差込み部の部分では、前記一対の接続孔の並びのピッチが前記給水装置の吸込み口および戻し口の並びのピッチよりも小さくなっていることを特徴とする井戸用給水装置に用いる連結管である。  
この連結管は、塩化ビニルを材料として一体に形成することが好ましい。
【発明の効果】
【００１６】
この発明によれば、連結管の吸込み配管および戻し配管が差し込まれる側の接続孔のピッチが給水装置の吸込み口と戻し口とのピッチより小さくなっており、したがって井戸の口径が給水装置の吸込み口と戻し口とのピッチに対応する所定の口径より小さい場合であっても、吸込み配管と戻し配管との間隔を狭めるようなことなく、その吸込み配管と戻し配管とを平行に保ったままその口径の小さい井戸内に挿入することができる。
【００１７】
このため、吸込み配管および戻し配管と給水装置の吸込み口および戻し口との接続部分つまり連結管に無理な力がかかるようなことがなく、これにより水漏れの原因をなくすことができる。
【発明を実施するための最良の形態】
【００１８】
以下、この発明の実施の形態について図面を参照して説明する。
【００１９】
図１には、この発明の連結管３０を用いて給水装置１の吸込み口５および戻し口６に吸込み配管１６および戻し配管１７を接続した状態を示してある。
【００２０】
図２には連結管３０の断面図を、図３には連結管３０の正面図を、図４には連結管３０の背面図をそれぞれ示してある。連結管３０は、並列する一対の接続孔３１，３２を有する筒状体３３により構成されている。筒状体３３は合成樹脂、例えば塩化ビニルを材料として一体に形成されている。
【００２１】
筒状体３３の軸方向の一端側の端部は基部３３ａであり、この基部３３ａの外周にはフランジ３４が一体に突出し、このフランジ３４の均等的な４箇所に取付孔３５が形成されている。
【００２２】
一対の接続孔３１，３２は筒状体３３の軸方向に沿って並列して延び、基部３３ａの部分ではその並びのピッチａが給水装置１における戻し口６と吸込み口５との並びのピッチＬと同じで、その基部３３ａの反対側の先端側の部分では並びのピッチｂが給水装置１における戻し口６と吸込み口５との並びのピッチＬより小さくなっている。
【００２３】
すなわち、一対の接続孔３１，３２の一方の接続孔３１の中心軸線は直線状に延びているのに対して他方の接続孔３２の中心軸線は途中が屈曲し、これによりピッチａ＞ｂの関係が生じている。
【００２４】
このように構成された連結管３０は、一方の接続孔３１が給水装置１における吸込み口５に対向し、他方の接続孔３２が戻し口６に対向するように、その基部３３ａのフランジ３４がケーシング２の側面にボルト３６を介して締結される。ボルト３６はフランジ３４の４箇所に形成されている各取付孔３５を通してケーシング２の側面に螺挿される。
【００２５】
そして連結管３０の一方の接続孔３１には基部３３ａの反対側から吸込み配管１６が差し込まれ、他方の接続孔３２には基部３３ａの反対側から戻し配管１７が差し込まれ、これら吸込み配管１６および戻し配管１７の先端側が井戸１９内に挿入される。
【００２６】
ここで、吸込み配管１６および戻し配管１７が差し込まれる側の接続孔３１，３２のピッチｂは給水装置１の吸込み口５と戻し口６とのピッチＬより小さくなっており、したがって井戸１９の口径が給水装置１の吸込み口５と戻し口６とのピッチＬに対応する所定の口径より小さい場合であっても、吸込み配管１６と戻し配管１７との間隔を狭めるようなことなく、その吸込み配管１６と戻し配管１７とを平行に保ったままその口径の小さい井戸１９内に挿入することができる。
【００２７】
このため、吸込み配管１６および戻し配管１７と給水装置１の吸込み口５および戻し口６との接続部分つまり連結管３０に無理な力がかかるようなことがなく、これにより水漏れの原因をなくすことができる。
【００２８】
また、従来では、図５に示すように、吸込み配管１６を接続するためのソケット１３と戻し配管１７を接続するためのソケット１４とが個々に分かれ、そのソケット１３，１４を個々にケーシング２に取り付けるようにしており、このためその取り付けの作業が煩雑で面倒となるが、本実施形態では連結管３０が一対の接続孔３１，３２を有する一体的な筒状に構成され、この単一の連結管３０をケーシング２に取り付けるだけでよく、したがってその取り付けの作業を簡単に能率よく行なえ、またその連結管３０のフランジ３４を均等的な４箇所でボルト３６によりケーシング２に締結するため強固に安定して取り付けることができる。
【図面の簡単な説明】
【００２９】
【図１】この発明の一実施形態に係る連結管を井戸用給水装置に取り付けた状態を示す平面図。
【図２】図１に示す連結管の断面図。
【図３】図１に示す連結管の正面図。
【図４】図１に示す連結管の背面図。
【図５】背景技術を説明するための平面図。
【符号の説明】
【００３０】
１…給水装置
２…ケーシング
３…モータ
５…吸込み口
６…戻し口
７…吐出口
８…自動圧力調整弁
１６…吸込み配管
１７…戻し配管
１９…井戸
３０…連結管
３１．３２…接続孔
３３…筒状体
３３ａ…基部
３４…フランジ
３６…ボルト
【図１】
2006336609.tif 000003
【図２】
2006336609.tif 000004
【図３】
2006336609.tif 000005
【図４】
2006336609.tif 000006
【図５】
2006336609.tif 000007